(57)【要約】【課題】空気調和機の部分過負荷解消方法及びその装置を提供する。【解決手段】空気調和機に具備された複数の室内機が過負荷状態で運転中の少なくとも一つの室内機を含んでいるか否かを決定する段階と、前記少なくとも一つの室内機が過負荷状態で運転中の時、前記少なくとも一つの室内機の該当蒸発器に流入される冷媒量を増加させるために部分過負荷運転を行う段階とを含む。【選択図】図３
2007120938.tif 000002
【特許請求の範囲】
【請求項１】
空気調和機に備えられた複数の室内機のうち過負荷状態で運転中の少なくとも一つの第１室内機があるか否かを判断する段階と、
前記判断の結果、少なくとも一つの第１室内機が過負荷状態で運転中の場合に部分過負荷運転を行なってその少なくとも一つの第１室内機の該当蒸発器に流入される冷媒の量を増加させる段階とを含む空気調和機の部分過負荷解消方法。
【請求項２】
前記過負荷状態の少なくとも一つの室内機の検出は、
複数の室内機それぞれに備えられている温度センサの検出信号を用いて検出することを特徴とする請求項１に記載の空気調和機の部分過負荷解消方法。
【請求項３】
前記部分過負荷運転は、
前記少なくとも一つの室内機の過負荷状態が予め設定された時間以上持続するか否かを判断する段階と、
前記複数の室内機が正常負荷の状態である少なくとももう一つの室内機を含んでいるか否かを判断する段階と、
前記少なくとも一つの室内機の過負荷状態が予め設定された時間以上持続され、前記少なくとももう一つの室内機が正常負荷の状態で運転中の場合、部分過負荷運転を行なう段階とからなることを特徴とする請求項１に記載の空気調和機の部分過負荷解消方法。
【請求項４】
前記少なくとも一つの室内機の過負荷状態が予め設定された時間以上持続されていないか、あるいは前記少なくとも一つの室内機と前記少なくとももう一つの室内機が全て過負荷状態で運転中の場合、前記少なくとも一つの室内機と前記少なくとももう一つの室内機のそれぞれが検出する室内空気の温度により空気調和機を運転する段階をさらに含むことを特徴とする請求項３に記載の空気調和機の部分過負荷解消方法。
【請求項５】
前記少なくとももう一つの室内機は複数台であることを特徴とする請求項３に記載の空気調和機の部分過負荷解消方法。
【請求項６】
前記少なくとも一つの室内機の蒸発器に流入される冷媒の量を増加させる場合、
圧縮機における冷媒圧縮容量を共に増加させることを特徴とする請求項１に記載の空気調和機の部分過負荷解消方法。
【請求項７】
前記冷媒の圧縮容量増加は、
複数の圧縮機を備え、前記複数の圧縮機のうち現在駆動中の少なくとも一つの圧縮機の駆動による冷媒の圧縮容量を判断し、判断結果によって圧縮機を選択的に駆動させ冷媒の圧縮容量を増加させることを特徴とする請求項６に記載の空気調和機の部分過負荷解消方法。
【請求項８】
前記少なくとも一つの室内機の蒸発器に流入される冷媒の量の増加は、
前記少なくとも一つの室内機の蒸発器の冷媒流入口側に備えられた膨張機構で調節して増加させることを特徴とする請求項１に記載の空気調和機の部分過負荷解消方法。
【請求項９】
前記膨張機構は電磁膨張バルブであることを特徴とする請求項８に記載の空気調和機の部分過負荷解消方法。
【請求項１０】
前記複数の室内機が正常状態で運転中の場合、複数の室内機のそれぞれが検出する室内空気の温度に応じて空気調和機を運転する段階をさらに含むことを特徴とする請求項１に記載の空気調和機の部分過負荷解消方法。
【請求項１１】
空気調和機内に備えられた複数の室内機が過負荷状態で運転している少なくとも一つの室内機を含んでいるか否かを判断する制御部を含み、
前記制御部は、部分過負荷運転を行って前記過負荷状態で運転する少なくとも一つの室内機の該当蒸発器に流入される冷媒の量が増加するように制御する空気調和機の部分過負荷解消装置。
【請求項１２】
前記複数の室内機のそれぞれに具備され、過負荷状態で運転中の前記少なくとも一つの室内機の過負荷状態を探知する温度センサをさらに含むことを特徴とする請求項１１に記載の空気調和機の部分過負荷解消装置。
【請求項１３】
前記制御部は、
予め設定された時間以上少なくとも一つの室内機が過負荷状態を持続しているか否かを判断し、
前記少なくとも一つの室内機が前記予め設定された時間以上過負荷状態を持続し、前記もう一つの室内機が正常負荷状態で運転する場合、前記部分過負荷運転を行うことを特徴とする請求項１１に記載の空気調和機の部分過負荷解消方法。
【請求項１４】
前記制御部は、
前記少なくとも一つの室内機の過負荷状態が予め設定された時間より小さいかあるいは前記少なくとも一つの室内機と前記少なくとももう一つの室内機それぞれが過負荷状態で運転中の場合、前記少なくとも一つの室内機と前記少なくとももう一つの室内機が検出した室内温度によって空気調和機を運転することを特徴とする請求項１３に記載の空気調和機の部分過負荷解消装置。
【請求項１５】
複数の圧縮機のうち少なくとも一つの圧縮機が、残り圧縮機のうち少なくとも一つの圧縮機より圧縮容量が小さく、運転を行わず、
前記複数の圧縮機のうち少なくとも一つの圧縮機より圧縮容量が大きい前記残り圧縮機のうち少なくとも一つの圧縮機が駆動され、その少なくとも一つの圧縮機の駆動によって増加する冷媒量が該当蒸発器に流入されることを特徴とする請求項１１に記載の空気調和機の部分過負荷解消装置。
【請求項１６】
複数の圧縮機は、圧縮容量を増加させるように動作することを特徴とする請求項１１に記載の空気調和機の部分過負荷解消装置。
【請求項１７】
前記蒸発器に流入される冷媒量を増加させるために前記蒸発器の冷媒流入側に備えられた膨張機構をさらに含むことを特徴とする請求項１１に記載の空気調和機の部分過負荷解消装置。
【請求項１８】
前記膨張機構は、膨張バルブであることを特徴とする請求項１７に記載の空気調和機の部分過負荷解消装置。
【請求項１９】
前記少なくとももう一つの室内機は、複数台であることを特徴とする請求項１１に記載の空気調和機の部分過負荷解消装置。
【請求項２０】
前記制御器は、
前記複数の室内機が運転する時複数の室内機それぞれが検出した室内温度によって空気調和機を運転することを特徴とする請求項１１に記載の空気調和機の部分過負荷解消装置。
【発明の詳細な説明】
【技術分野】
【０００１】
本発明は空気調和機の部分過負荷解消方法及びその装置に関する。
【背景技術】
【０００２】
一般に、空気調和機は室内から高温空気を吸い込んで冷凍サイクルの蒸発器で熱交換する。そして、前記熱交換によって発生する低温空気を室内に吐き出す動作を繰り返して行なって室内を冷房する。
【０００３】
前記冷凍サイクルは、通常に圧縮機、凝縮器、膨張機構及び蒸発器とからなる。
【０００４】
前記圧縮機は低温低圧の気体冷媒を圧縮して高温高圧の気体冷媒に変換する。前記圧縮機が変換した高温高圧の気体冷媒は凝縮器が凝縮して高温高圧の液体冷媒に変換する。
【０００５】
そして、凝縮器が凝縮した高温高圧の液体冷媒は膨張機構が膨張させて低温低圧の液体冷媒に変換する。前記膨張機構で膨張された低温低圧の液体冷媒は蒸発器が室内空気と熱交換しつつ蒸発させ低温低圧の気体冷媒に変換される。
【０００６】
前記蒸発器で熱交換によって変換された低温低圧の気体冷媒は再び前記圧縮機で高温高圧の気体冷媒に変換される過程を繰り返している。
【０００７】
すなわち、冷凍サイクルは圧縮機、凝縮器、膨張機構及び蒸発器を備えて冷媒を圧縮、凝縮、膨張及び蒸発させるサイクルを繰り返して行なう。そして、前記蒸発器で室内空気と熱交換して冷気を発生し、発生した冷気を室内に吐き出して冷房する。
【０００８】
このような冷凍サイクルを備えている空気調和機において、通常多量の騒音と熱気を発生する部品、例えば圧縮機と凝縮器は室外機に備えている。
【０００９】
そして、騒音が殆んど発生せず、冷気を発生する膨張装置及び蒸発器は室内機に備えられ、室外機と室内機を配管で連結している。
【００１０】
最近、空気調和機の冷房能力を増加させるために室外機に二つ以上の圧縮機を備え、もう一つの室外機に複数の室内機を連結して複数の室内をそれぞれ冷房できるようにするマルチ型空気調和機の普及が活発に行われている。
【００１１】
複数の室内機を備えているマルチ型の空気調和機において、一つの室内機が冷房している室内にだけ冷房負荷が増加して過負荷状態になり、他の複数の室内機がそれぞれ冷房している室内では冷房負荷が増加せず、一定に維持される場合が頻繁に発生している。
【００１２】
この場合、それぞれの室内機で検出する室内温度によって空気調和機を運転すれば、冷房負荷が増加した室内の室内機は冷房能力が低下し、冷房負荷が一定に維持される室内の室内機は冷房能力が増加して室内を過冷房するようになり、ユーザが寒さを感じるようになる。
【００１３】
従って、複数の室内機を備えている空気調和機において冷房負荷が増加して過負荷状態で運転中の室内機を正確に検出し、過負荷状態で運転中の室内機の冷房能力だけを増加させて該当室内を迅速に冷房する必要がある。
【発明の開示】
【発明が解決しようとする課題】
【００１４】
本発明は前述した従来の問題点を解決するために案出されたもので、その目的は複数の室内機のうち冷房負荷が増加して過負荷状態で運転中の一つの第１室内機を正確に検出し、検出した第１室内機の冷房能力を増加させ第１室内機が迅速に正常負荷の状態で運転できるようにする空気調和機の部分過負荷解消方法を提供するところにある。
【課題を解決するための手段】
【００１５】
前述した目的を有する本発明によれば、マルチ型空気調和機に備えられている複数の室内機のうち冷房負荷が増加され過負荷状態で運転中の第１室内機を検出するために複数の室内機が設けられた室内空気の温度変化を用いる。
【００１６】
そのため、本発明では複数の室内機それぞれに温度センサを備えて室内空気の温度変化を検出し、検出した室内空気の温度変化により過負荷状態で運転中の一つの第１室内機を検出する。
【００１７】
そして、第１室内機の冷房負荷が増加して過負荷状態になってもその過負荷状態が持続せず、一時的にだけ過負荷状態の場合が発生しうる。
【００１８】
従って、本発明では第１室内機の過負荷状態が設定時間以上持続するか否かを判断する。判断の結果、第１室内機に設定時間以上過負荷状態が持続する場合、第１室内機が過負荷状態であると最終判断する。
【００１９】
そして、一つの第１室内機だけ過負荷状態であり、複数の第２室内機は過負荷状態でないと最終判断した場合、過負荷状態の第１室内機の蒸発器に流入される冷媒の量を増加させ第１室内機の冷房能力を増加させる。
【００２０】
ここで、本発明は電磁膨張バルブ(Linear Expansion Valve)などのように冷媒の通過量を調節しうる膨張機構を使用して特定室内機に流入される冷媒の量を調節する。
【００２１】
そして、過負荷状態の第１室内機の蒸発器に流入される冷媒の量を増加させる場合、冷房負荷が一定に維持される第２室内機は流入される冷媒の量が減って冷房能力が低下する場合が発生しうる。
【００２２】
従って、本発明では複数の圧縮機を備えている場合、現在圧縮機の運転状態を判断する。判断の結果、圧縮機を最大圧縮容量で駆動させていない場合、冷房負荷が増加した第１室内機に流入される冷媒の量を増加させ、また圧縮機が冷媒圧縮容量を増加させて運転するように制御する。
【００２３】
従って、本発明によれば、冷房負荷が一定に維持される第２室内機の冷房能力は低下させず、過負荷状態の第１室内機の蒸発器に流入される冷媒の量だけを増加させ冷房能力を増加させ、第１室内機が設けられている室内を迅速に冷房することができる。
【発明の効果】
【００２４】
このような本発明によれば、各室内機に設けられた例えば温度センサを用いて室内空気の温度を検出することができ、検出した室内空気の温度で冷房負荷が増加して過負荷状態で運転中の第１室内機を検出する。また、検出した第１室内機の蒸発器に流入される冷媒の量を増加させ第１室内機の冷房能力を増加させることができ、第１室内機の過負荷状態を解消することが可能である。
【００２５】
そして、複数の圧縮機を備えている場合、第１室内機の蒸発器に流入される冷媒の量を増加させることができ、圧縮機の冷媒圧縮容量も例えば共に増加させることができる。従って、冷房負荷が一定に維持される複数の第２室内機の冷房能力は低下させず冷房負荷が増加した第１室内機に流入される冷媒の量だけを増やして、第１室内機が設けられている室内を迅速に冷房し、過負荷を解消することができる。
【発明を実施するための最良の形態】
【００２６】
以下、添付した図面に基づき本発明の一実施例を詳述する。
【００２７】
図１は本発明の部分過負荷解消方法が適用される空気調和機の構成を示した概略的な図である。ここで、１００は低温低圧の気体冷媒を供給するアキュムレータであり、１１０及び１２０はそれぞれ前記アキュムレータ１００が供給する低温低圧の気体冷媒を高温高圧の気体冷媒に変換する第１及び第２圧縮機である。
【００２８】
例えば、前記第１圧縮機１１０は全体圧縮容量の約６０％の容量を有し、前記第２圧縮機１２０は約４０％の容量を有している。
【００２９】
１１２及び１２２は低温低圧の気体冷媒を圧縮する前記第１圧縮機１１０及び第２圧縮機１２０で獲得可能な高温高圧の気体冷媒が逆流することを防止する逆流防止機構または逆流防止手段である。
【００３０】
前記逆流防止機構または逆流防止手段１１２、１２２としては、例えばチェックバルブを使って冷媒の逆流を防止することができる。しかし、冷媒の逆流を防止するため、他のいずれの逆流防止機構を使用することも可能であることは当然である。
【００３１】
１３０は凝縮器である。該凝縮器１３０は前記第１圧縮機１１０及び第２圧縮機１２０で圧縮される高温高圧の気体冷媒を高温高圧の液体冷媒に圧縮する。
【００３２】
１４０ａ、１４０ｂは複数の膨張機構である。前記複数の膨張機構１４０ａ、１４０ｂそれぞれは前記凝縮器１３０で凝縮された高温高圧の液体冷媒をそれぞれ膨張させ低温低圧の液体冷媒に変換する。
【００３３】
１５０ａ、１５０ｂは室内機にそれぞれ設けられる複数の蒸発器である。
【００３４】
前記複数の蒸発器１５０ａ、１５０ｂそれぞれは前記複数の膨張機構１４０ａ、１４０ｂそれぞれで膨張された低温低圧の液体冷媒を室内空気とそれぞれ熱交換して冷気を発生しながら低温低圧の気体冷媒に変換する。
【００３５】
前述した第１または第２圧縮機１１０、１２０が駆動される場合、アキュムレータ１００に貯蔵されうる低温低圧の気体冷媒は第１または第２圧縮機１１０、１２０に流入され高温高圧の気体冷媒に圧縮される。
【００３６】
ここで、前記アキュムレータ１００は低温低圧の液体冷媒が第１及び第２圧縮機１１０、１２０に流入され損傷することを防止する役割を果たす。
【００３７】
前記第１及び第２圧縮機１１０、１２０で圧縮された高温高圧の気体冷媒は逆流防止手段１１２、１２２を通じて凝縮器１３０に流入されうる。
【００３８】
前記凝縮器１３０は高温高圧の気体冷媒を凝縮して高温高圧の液体冷媒に変換し、その高温高圧の液体冷媒は複数の膨張機構１４０ａ、１４０ｂそれぞれで膨張され低温低圧の液体冷媒に変換されうる。
【００３９】
前記低温低圧の液体冷媒は複数の蒸発器１５０ａ、１５０ｂそれぞれで室内空気と熱交換して低温低圧の気体冷媒で蒸発され、熱交換により発生する冷気は室内に吐き出されて冷房することができる。
【００４０】
そして、複数の蒸発器１５０ａ、１５０ｂそれぞれから蒸発された低温低圧の気体冷媒は前記アキュムレータ１００に回収可能であり、回収された低温低圧の気体冷媒は再び第１及び第２圧縮機１１０、１２０で高温高圧の気体冷媒に圧縮され循環されることを繰り返すことができる。
【００４１】
図２は本発明の部分過負荷解消方法が適用される空気調和機の制御ブロック図である。ここで、２００はユーザの操作によって空気調和機の運転命令または制御命令などのユーザ命令を入力するユーザ入力部であり、２１０は温度検出部である。
【００４２】
前記温度検出部２１０は、複数の室内機それぞれにサーモスタットなどの温度センサ(図示せず)を設けることができ、その温度センサの検出信号を用いて複数の室内機が設けられている室内の室内温度をそれぞれ検出する。また、前記温度センサが検出する過負荷状態の温度は予め設定されうる。従って、室内温度が設定温度以上の場合に過負荷状態であることを検出されうる。
【００４３】
２２０は制御部である。前記制御部２２０は前記ユーザ入力部２００を通じて入力されるユーザの命令に従って空気調和機の運転を制御する。
【００４４】
前記制御部２２０は、前記温度検出部２１０の検出信号で該当室内機が過負荷状態であるか否かを判断し、判断した過負荷状態であるか否かによって空気調和機の運転を制御する。
【００４５】
前記制御部２２０は、前記温度検出部２１０の検出信号で冷房負荷が過負荷状態の第１室内機（例えば、複数の室内機のうち少なくとも一つの室内機）を検出し、第１室内機の過負荷状態を効率よく解消できるように空気調和機の運転を制御する。
【００４６】
２３０は圧縮機駆動部である。前記圧縮機駆動部２３０は前記制御部２２０の制御により前記第１圧縮機１１０または第２圧縮機１２０を選択的に駆動させるか、あるいは第１圧縮機１１０及び第２圧縮機１２０を同時に駆動させる。
【００４７】
２４０は膨張機構駆動部である。前記膨張機構駆動部２４０は、前記制御部２２０の制御により前記複数の膨張機構１４０ａ、１４０ｂを駆動させ冷媒の膨張力を調節する。
【００４８】
前述した構成を有する空気調和機はユーザがユーザ入力部２００を操作して空気調和機の運転命令が入力される場合、制御部２２０は空気調和機の運転命令に従って圧縮機駆動部２３０を制御して第１または第２圧縮機１１０、１２０を駆動させ、膨張機構駆動部２４０を制御して複数の膨張機構１４０ａ、１４０ｂの開閉量を調節して冷房運転を行なう。
【００４９】
そして、制御部２２０は温度検出部２１０の検出信号で複数の室内機が過負荷状態で運転中の第１室内機があるか否かを判断する。
【００５０】
例えば、蒸発器１５０ａが設けられている第１室内機が過負荷状態で運転していると仮定する。
【００５１】
前記判断の結果、蒸発器１５０ａが設けられている第１室内機が過負荷状態で運転中の場合、制御部２２０は第１室内機の過負荷状態が予め設定された時間以上持続（すなわち、少なくとも一つの室内機が設定（または予め指定された）時間より長時間過負荷状態が持続）するか否かを判断する。そして設定時間以上第１室内機が過負荷状態で運転する場合、複数の第２室内機（例えば、複数の室内機のうち少なくとも一つの室内機）も過負荷状態で運転中であるか否かを判断する。
【００５２】
前記判断の結果、過負荷状態で運転中の第１室内機がないか、第１室内機が過負荷状態で運転しても過負荷状態が設定時間以上持続しないか、あるいは第１室内機以外に複数の第２室内機も過負荷状態で運転中の場合は複数の室内機が過負荷状態で運転しているもので、制御部２２０は温度検出部２１０が検出するそれぞれの室内機の室内温度によって正常に空気調和機の運転を制御する。
【００５３】
そして、前記判断の結果、第１室内機が設定時間以上引き続き過負荷状態で運転中であり、複数の第２室内機は過負荷状態で運転していない場合、制御部２２０は第１室内機だけ過負荷状態で運転中であることを判断し、現在第１及び第２圧縮機１１０、１２０の運転状態を判断する。
【００５４】
現在第１及び第２圧縮機１１０、１２０が全て運転している１００％運転状態の場合、制御部２２０は膨張機構駆動部２４０を制御して膨張機構１４０ａを通じて過負荷状態の第１室内機の蒸発器１５０ａに流入される冷媒の量を増やす。
【００５５】
そして、第１及び第２圧縮機１１０、１２０を全て運転していない状態の場合、制御部２２０は圧縮機駆動部２３０を制御して冷媒の圧縮容量を増加させる。すなわち、制御部２２０は現在４０％の圧縮容量を有している第２圧縮機１２０だけが駆動されている場合、第２圧縮機１２０は止め、約６０％の圧縮容量を有している第１圧縮機１１０を駆動させ冷媒の圧縮容量を増やす。現在約６０％の圧縮容量を有している第１圧縮機１２０だけが駆動されている場合、第１及び第２圧縮機１１０、１２０を全て駆動させ冷媒の圧縮容量を１００％に増加させる。
【００５６】
前記第１及び第２圧縮機１１０、１２０の駆動を制御して冷媒の圧縮容量を増加させた後、制御部２２０は膨張機構駆動部２４０を制御して膨張機構１４０ａを通じて第１室内機の蒸発器１５０ａに流入される冷媒の量を増やす。
【００５７】
このような状態で制御部２２０は温度検出部２１０が検出する第１室内機の室内温度で第１室内機の過負荷状態が解消されたか否かを判断する。そして、過負荷状態が解消されていない場合、前記第１蒸発器１５０ａに流入される冷媒の量を増加させながら過負荷状態が解消されたか否かを判断する動作を繰り返して行なう。
【００５８】
第１室内機の過負荷状態が解消された場合、制御部２２０は部分過負荷運転を解除し、温度検出部２１０が検出する室内機の室内温度によって正常に空気調和機の運転を制御する。
【００５９】
図３は本発明の部分過負荷解消方法を示した信号流れ図である。
【００６０】
同図によれば、ユーザが、例えばユーザ入力部２００を操作して空気調和機の運転命令が入力される場合(Ｓ３００)、制御部２２０は空気調和機の運転を開始する(Ｓ３０２)。すなわち、制御部２２０は空気調和機の運転命令に従って圧縮機駆動部２３０を制御して第１または第２圧縮機１１０、１２０を駆動させ、膨張機構駆動部２４０を制御して複数の膨張機構１４０ａ、１４０ｂの開閉量を調節して冷房運転を行なう。
【００６１】
そして、制御部２２０は温度検出部２１０の出力信号で、室内機が設けられているそれぞれの室内の温度を判断し(Ｓ３０４)、判断した室内温度で過負荷状態で運転中の一つの第１室内機があるか否かを判断する(Ｓ３０６)。
【００６２】
前記判断の結果、過負荷状態で運転中の一つの第１室内機がある場合、制御部２２０はその第１室内機が過負荷状態で予め設定された時間以上運転しているか否かを判断する(Ｓ３０８)。
【００６３】
前記判断の結果、予め設定された時間以上過負荷が持続する場合、制御部２２０は複数の第２室内機にも過負荷かかかっているか否かを判断する(Ｓ３１０)。すなわち、制御部２２０は前記一つの第１室内機以外に他の室内機にも過負荷がかかっているか否かを判断する。
【００６４】
前記判断の結果、過負荷状態で運転中の第１室内機がないか、第１室内機の過負荷状態が設定時間以上持続されていないか、あるいは第１室内機以外に複数の第２室内機も過負荷状態で運転中の場合、制御部２２０は空気調和機が全体として過負荷状態で運転中であることを判断する。そして、制御部２２０は温度検出部２１０が検出する複数の室内機それぞれの室内温度によって正常に空気調和機の運転を制御する(Ｓ３２４)。
【００６５】
前記判断の結果、第１室内機だけ設定時間以上過負荷状態で運転中であり、複数の第２室内機には過負荷状態で運転していない場合、制御部２２０は第１室内機に対する部分過負荷運転であることを判断する(Ｓ３１２)。
【００６６】
そして、制御部２２０は現在第１及び第２圧縮機１１０、１２０を全て駆動させている１００％運転状態であるか否かを判断する(Ｓ３１４)。すなわち、制御部２２０は現在圧縮機駆動部２３０を制御して全体圧縮容量で６０％の圧縮容量を有している第１圧縮機１１０と、全体圧縮容量で４０％の圧縮容量を有している第２圧縮機１２０を全て駆動させているか否かを判断する。
【００６７】
前記判断の結果、現在第１及び第２圧縮機１１０、１２０を全て駆動させている１００％運転状態の場合、制御部２２０は第１室内機の蒸発器１５０ａに流入される冷媒の量を増やす(Ｓ３１６)。すなわち、制御部２２０は膨張機構駆動部２４０を制御して膨張機構１４０ａを通じて蒸発器１５０ａに流入される冷媒の量を増加させ第１室内機の冷房能力を増加させる。
【００６８】
そして、前記判断の結果、第１及び第２圧縮機１１０、１２０を全て駆動させていない場合、制御部２２０は圧縮機駆動部２３０を制御して冷媒の圧縮容量を増加させる(Ｓ３１８)。
【００６９】
すなわち、制御部２２０は例えば約４０％の圧縮容量を有している第２圧縮機１２０だけを駆動させている場合、第２圧縮機１２０は止め、例えば約６０％の圧縮容量を有している第１圧縮機１１０を駆動させて冷媒の圧縮容量を増やす。そして現在６０％の圧縮容量を有している第１圧縮機１２０だけを駆動させている場合、第１及び第２圧縮機１１０、１２０を全て駆動させ冷媒の圧縮容量を１００％に増加させる。
【００７０】
前記第１及び第２圧縮機１１０、１２０の駆動を制御して冷媒圧縮容量を増加させた後、制御部２２０は膨張機構駆動部２４０を制御して膨張機構１４０ａを通じて第１室内機の第１蒸発器１５０ａに流入される冷媒の量を増やす(Ｓ３２０)。
【００７１】
以上のような状態で、制御部２２０は温度検出部２１０の検出信号で第１室内機の過負荷状態が解消されたか否かを判断する(Ｓ３２２)。
【００７２】
前記判断の結果、第１室内機の過負荷状態が解消されていない場合、制御部２２０は前記段階(Ｓ３１４)に復帰して第１蒸発器１５０ａに流入される冷媒の量を増やし、第１室内機の過負荷状態が解消されたか否かを判断する動作を繰り返して行なう。
【００７３】
そして、前記段階(Ｓ３２２)の判断の結果、第１室内機の過負荷状態が解消された場合、制御部２２０は部分過負荷運転を解除し、温度検出部２１０が検出する複数の室内機それぞれの室内温度により正常に空気調和機の運転を制御する(Ｓ３２４)。
【００７４】
以上本発明を特定の望ましい実施例について示しかつ説明したが、特許請求の範囲により請求される本発明の精神や分野から逸脱しない限度内で本発明が多様に改造及び変化可能なことは当業界で通常の知識を有する者にとって容易に分かる。
【００７５】
以上本発明を特定の望ましい実施例について示しかつ説明してきたが、特許請求の範囲により請求される本発明の精神や分野を逸脱しない限度内で、本発明が多様に改造及び変化されうることは当業者にとって容易に理解できよう。
【図面の簡単な説明】
【００７６】
【図１】本発明の部分過負荷解消方法が適用されるマルチ型空気調和機の構成を示した概略的な図である。
【図２】本発明の部分過負荷解消方法が適用される空気調和機の制御ブロック図である。
【図３】本発明の部分過負荷解消方法を示した信号流れ図である。
【図１】
2007120938.tif 000003
【図２】
2007120938.tif 000004
【図３】
2007120938.tif 000005